(57)【要約】      （修正有）【課題】散乱光および吸光度の測定の測定時差の測定結果への影響を抑制し、測定精度を向上することができる自動分析装置を提供する。【解決手段】反応容器２を周方向に並べて配置した円盤形状の反応ディスク１の回転によって周方向に搬送される反応容器２の搬送経路上に配置された試料分注機構７、試薬分注機構１２Ａ，１２Ｂ、攪拌機構３３Ａ，３３Ｂ、散乱光度計４０、及び、吸光光度計４１を備え、搬送経路上に予め設定された散乱光検出位置及び透過光検出位置の両方について同一の移動工程中に反応容器２を通過させることにより散乱光度および吸光度の測定を行うように制御する。【選択図】図１
2014020999.tif 000002
【特許請求の範囲】
【請求項１】
試料と試薬との混合液を収容する複数の反応容器と、
前記反応容器を周方向に並べて配置した円盤形状の反応ディスクと、
前記反応ディスクの回転によって周方向に搬送される前記反応容器の搬送経路上に配置され、前記試料の収容された試料容器から前記反応容器に試料を分注する試料分注機構と、
前記搬送経路上に配置され、前記試薬の収容された試薬容器から前記反応容器に試薬を分注する試薬分注機構と、
前記反応容器に収容された前記混合液を攪拌する攪拌機構と、
前記搬送経路上に予め設定された散乱光検出位置を通過する前記反応容器の混合液に散乱光検出用の光を照射する散乱光検出用光源と、前記散乱光検出用光源から照射された光によって前記混合液から生じた散乱光を検出する散乱光検出器とを有し、前記混合液の散乱光度を測定する１つ以上の散乱光度計と、
前記搬送経路上に予め設定された透過光検出位置を通過する前記反応容器の混合液に透過光検出用の光を照射する透過光検出用光源と、前記透過光検出用光源から照射されて前記混合液を透過した透過光を検出する透過光検出器とを有し、前記混合液の吸光度を測定する１つ以上の吸光光度計と、
前記反応容器を前記散乱光検出位置及び前記透過光検出位置の両方について同一の移動工程中に通過させることにより散乱光度および吸光度の測定を行うように制御する制御装置と、
前記反応容器の洗浄を行う反応容器洗浄装置と
を備えたことを特徴とする自動分析装置。
【請求項２】
試料と試薬との混合液を収容する複数の反応容器と、
前記反応容器を周方向に並べて配置した円盤形状の反応ディスクと、
前記反応ディスクの回転によって周方向に搬送される前記反応容器の搬送経路上に配置され、前記試料の収容された試料容器から前記反応容器に試料を分注する１つ以上の試料分注機構と、
前記搬送経路上に配置され、前記試薬の収容された試薬容器から前記反応容器に試薬を分注する試薬分注機構と、
前記反応容器に収容された前記混合液を攪拌する攪拌機構と、
前記搬送経路上に予め設定された散乱光検出位置を通過する前記反応容器の混合液に散乱光検出用の光を照射する散乱光検出用光源と、前記散乱光検出用光源から照射された光によって前記混合液から生じた散乱光を検出する散乱光検出器とを有し、前記混合液の散乱光度を測定する１つ以上の散乱光度計と、
前記反応容器が前記散乱光検出位置を通過する移動工程と同一の移動工程中に通過するように予め透過光検出位置を配置し、該透過光検出位置を通過する前記反応容器の混合液に透過光検出用の光を照射する透過光検出用光源と、前記透過光検出用光源から照射されて前記混合液を透過した透過光を検出する透過光検出器とを有し、前記混合液の吸光度を測定する１つ以上の吸光光度計と、
前記反応容器の洗浄を行う反応容器洗浄装置と
を備えたことを特徴とする自動分析装置。
【請求項３】
請求項１又は２に記載の自動分析装置において、
前記１つ以上の散乱光度計による散乱光度の測定値および測定時刻と、前記１つ以上の吸光光度計による吸光度の測定値および測定時刻とを記憶する記憶部を備え、
前記制御部は、前記記憶部に記憶された前記測定値のうちの何れか１つの測定時刻を基準時刻とし、他の測定値の測定時刻を補正することを特徴とする自動分析装置。
【請求項４】
請求項１又は２に記載の自動分析装置において、
前記移動工程は、前記反応ディスクの１周相当の前記搬送経路よりも長くなるよう設けたことを特徴とする自動分析装置。
【請求項５】
請求項１又は２に記載の自動分析装置において、
前記１つ以上の散乱光度計および前記１つ以上の吸光光度計のそれぞれの測定時刻の時差の最大値が１秒以内であることを特徴とする自動分析装置。
【請求項６】
請求項１又は２に記載の自動分析装置において、
前記制御装置は、前記混合液における観察対象の反応を生じさせる試薬を前記試薬分注機構により前記反応容器に分注する分注工程の次に、前記散乱光度計および前記吸光光度計による測定を行う測定工程を実施することを特徴とする自動分析装置。
【発明の詳細な説明】
【技術分野】
【０００１】
本発明は、血液や尿などの生体サンプルの定性・定量分析を行う自動分析装置に関する。
【背景技術】
【０００２】
自動分析装置は、血液や尿などの生体サンプル（以下、試料と称する）に含まれる特定の成分に特異的に反応する試薬を添加・反応させ、吸光光度計や散乱光度計による測定を経ることにより、試料の定性・定量分析を行うものである。
【０００３】
このような光度計に係る技術として、例えば、特許文献１（特開２００８−８７９４号公報）には、光源から照射された光が透過した検液の吸光度を測定する透過光測定系と、光源から照射され、検液に反射した光の強度を測定する反射光測定系とを備え、反射光測定系が所定の値の反射高強度を検出するまでは、前記透過光測定系を用いて検液の吸光度を測定する一方、反射光測定系が所定の値の反射光強度を検出した場合には、それ以降、前記反射光測定系を用いて検液に反射した光の強度を測定する分析装置に関する技術が開示されている。
【０００４】
また、特許文献２（特開平１０−３３２５８２号公報）には、光透過性セルに収容された測定対象液に対して光を入射する光源と、セルから反射された散乱光を捕捉する入射側積分球と、セルを通過した透過光及び散乱光を捕捉する出射側積分球と、入射側積分球のうち光透過経路と異なる箇所に設けられ、入射側積分球で捕捉された散乱光を検知する入射側散乱光センサと、出射側積分球のうち光透過経路の延長上に設けられ、出射側積分球で捕捉された透過光を検知する出射側透過光センサと、出射側積分球のうち光透過経路と異なる箇所に設けられ、出射側積分球で捕捉された散乱光を検知する出射側散乱光センサと、入射側散乱光センサ、出射側透過光センサ及び出射側散乱光センサからの検知信号に基づいて濁度を演算する濁度演算手段とを備えた濁度測定装置に関する技術が開示されている。
【先行技術文献】
【特許文献】
【０００５】
【特許文献１】特開２００８−８７９４号公報
【特許文献２】特開平１０−３３２５８２号公報
【発明の概要】
【発明が解決しようとする課題】
【０００６】
上記従来技術のような分析装置においては、測定対象試料における吸光度の測定、或いは、散乱光の測定を行うことにより、試料（血液や尿などの生体サンプル）の定性・定量分析を行っている。吸光度の測定では、短波長から長波長までの光を照射して透過光を分光するため、ビリルビン、ヘモグロビンなどの影響を受けない波長を選定することができるなどアプリケーションの適用範囲が広いという特長がある。また、散乱光の測定では、特定の波長の光を照射して反応溶液中の粒子散乱を見ているため感度が良いという特長があるが、試料中の粒子の影響を受けやすいという点を考慮する必要がある。したがって、散乱光の測定と吸光度の測定の両方を同じ測定対象試料に対して実施することにより、測定精度の向上を図ることも考えられる。
【０００７】
しかしながら、散乱光や吸光度の測定では、所定の試薬の添加から時間の経過に伴って状態の変化する測定対象試料を測定対象としているため、散乱光および吸光度の測定時差の測定結果への影響が懸念される。
【０００８】
本願発明は上記に鑑みてなされたものであり、散乱光および吸光度の測定の測定時差の測定結果への影響を抑制し、測定精度を向上することができる自動分析装置を提供することを目的とする。
【課題を解決するための手段】
【０００９】
上記目的を達成するために、本発明は、試料と試薬との混合液を収容する複数の反応容器と、前記反応容器を周方向に並べて配置した円盤形状の反応ディスクと、前記反応ディスクの回転によって周方向に搬送される前記反応容器の搬送経路上に配置され、前記試料の収容された試料容器から前記反応容器に試料を分注する試料分注機構と、前記搬送経路上に配置され、前記試薬の収容された試薬容器から前記反応容器に試薬を分注する試薬分注機構と、前記反応容器に収容された前記混合液を攪拌する攪拌機構と、前記搬送経路上に予め設定された散乱光検出位置を通過する前記反応容器の混合液に散乱光検出用の光を照射する散乱光検出用光源と、前記散乱光検出用光源から照射された光によって前記混合液から生じた散乱光を検出する散乱光検出器とを有し、前記混合液の散乱光度を測定する１つ以上の散乱光度計と、前記搬送経路上に予め設定された透過光検出位置を通過する前記反応容器の混合液に透過光検出用の光を照射する透過光検出用光源と、前記透過光検出用光源から照射されて前記混合液を透過した透過光を検出する透過光検出器とを有し、前記混合液の吸光度を測定する１つ以上の吸光光度計と、前記反応容器を前記散乱光検出位置及び前記透過光検出位置の両方について同一の移動工程中に通過させることにより散乱光度および吸光度の測定を行うように制御する制御装置と、前記反応容器の洗浄を行う反応容器洗浄装置とを備えたものとする。
【発明の効果】
【００１０】
本発明によれば、散乱光および吸光度の測定の測定時差の測定結果への影響を抑制し、測定精度を向上することができる。
【図面の簡単な説明】
【００１１】
【図１】一実施の形態に係る自動分析装置の全体構成を概略的に示す図である。
【図２】散乱光度計の構成を概略的に示す図である。
【図３】吸光光度計の構成を概略的に示す図である。
【図４】反応ディスクに配置した反応容器の搬送経路における各構成の配置を概略的に示す図である。
【図５】反応容器に収容した試料と試薬の混合液（反応液）における透過光量、吸光度、及び、散乱光量の時間変化の一例を概略的に示す図である。
【図６】Ｎ≦Ｍの場合における反応ディスクの動作を示す図であり、測定対象の反応容器が試料分注位置にある場合を示す図である。
【図７】Ｎ≦Ｍの場合における反応ディスクの動作を示す図であり、１サイクル後の場合を示す図である。
【図８】ＣＲＰを吸光光度計と散乱光度計で測定した結果である。
【図９】コンピュータ（制御装置）による時間補正処理後の測定結果を示す図である。
【図１０】移動回転角度が１８０度以下の場合における反応ディスクの動作を示す図であり、測定対象の反応容器が試料分注位置にある場合を示す図である。
【図１１】移動回転角度が１８０度以下の場合における反応ディスクの動作を示す図であり、測定対象の反応容器が１サイクル後に第１試薬分注位置にある場合を示す図である。
【図１２】移動回転角度が１８０度以下の場合における反応ディスクの動作を示す図であり、測定対象の反応容器が第２試薬分注位置を経由して攪拌位置にある場合を示す図である。
【図１３】測定試薬ＲＦおよび腫瘍マーカＡＦの散乱光度計における散乱光強度を示す図である。
【図１４】吸光光度計における直線性の測定結果を示す図である。
【図１５】インスリンの測定結果例を示す図である。
【発明を実施するための形態】
【００１２】
本発明の一実施の形態を図面を参照しつつ説明する。
図１は、本実施の形態に係る自動分析装置の全体構成を概略的に示す図である。また、図２及び図３は、それぞれ、散乱光度計および吸光光度計の構成を概略的に示す図である。
【００１３】
図１において、自動分析装置は、サンプルディスク５、第１及び第２試薬ディスク１３Ａ，１３Ｂ、反応ディスク１、試料分注機構７、試薬分注機構１２Ａ，１２Ｂ、及び、コンピュータ（制御装置）１８を含むその他の機能部とから概略構成されている。
【００１４】
サンプルディスク５には、血液や尿などの生体サンプル（以下、試料と称する）が収容された複数の試料容器６が周方向に並べて配置されている。サンプルディスク５は、図示しない回転駆動機構によって周方向に回転駆動されることにより、試料容器６を所定の位置に移動させる。
【００１５】
第１及び第２試薬ディスク１３Ａ，１３Ｂは、それぞれ、試薬保冷庫９Ａ，９Ｂを備えており、自動分析装置における分析処理の各処理項目に用いる試薬が収容された複数の試薬ボトル１０Ａ，１０Ｂが周方向に並べて配置されている。第１及び第２試薬ディスク１３Ａ，１３Ｂは、図示しない回転駆動機構によって周方向に回転駆動されることにより、試薬ボトル１０Ａ，１０Ｂを所定の位置に移動させる。また、第１及び第２試薬ディスク１３Ａ，１３Ｂには、各試薬ボトル１０Ａ，１０Ｂに設けられた試薬識別情報を読み取る読取装置３４Ａ，３４Ｂが配置されており、読み取った試薬識別情報は、第１及び第２試薬ディスク１３Ａ，１３Ｂ上のポジション情報とともにインタフェース１９を介してコンピュータ（制御装置）１８に送られ、測定日時などと関連付けられてメモリ（記憶部）１１に記憶される。試薬識別情報は、例えば、バーコードで表されており、読取装置３４Ａ，３４Ｂはバーコード読取装置である。
【００１６】
反応ディスク１は、恒温維持装置４によって所定の温度（例えば３７℃）に制御された恒温槽（反応槽）３を備えており、試料と試薬の混合液（又は、反応液とも称する）が収容される複数の反応容器（反応セル）２が周方向に並べて配置されている。反応ディスク１は、図示しない回転駆動機構によって周方向に回転駆動されることにより、周方向に沿った搬送経路で反応容器２が搬送される。なお、反応ディスク１の回転方向、回転角度、および回転速度は、コンピュータ（制御装置）１８により制御されている。
【００１７】
試料分注機構７は、試料容器６に収容された試料を試料分注位置７ａ（後の図４参照）の反応容器２に分注するものであり、試薬分注機構１２Ａ，１２Ｂは、試薬ボトル１０Ａ，１０Ｂ収容された試薬を第１及び第２試薬分注位置１２ａ，１２ｂ（後の図４参照）の反応容器２に分注するものである。反応容器２に分注された試料と試薬の混合液は、試薬分注機構１２Ａ，１２Ｂにおけるそれぞれの分注位置に設けられた攪拌機構３３Ａ，３３Ｂにより攪拌される。
【００１８】
サンプルディスク１および試料分注機構７の動作は、サンプル分注制御部２０によって制御される。第１及び第２試薬ディスク１３Ａ，１３Ｂ、試薬分注機構１２Ａ，１２Ｂ、攪拌機構３３Ａ，３３Ｂの動作は、試薬分注制御部２１により制御される。サンプル分注制御部２０と試薬分注制御部２１は、インタフェース１９を介して接続されたコンピュータ（制御装置）１８により制御される。
【００１９】
反応ディスク１には、反応容器２に収容された検体と試薬の混合液（反応液）の吸光度を検出する１つ以上の吸光光度計４１と、反応液の散乱光度を検出する１つ以上の散乱光度計４０とが設けられている。なお、本実施の形態では、吸光光度計４１と散乱光度計４０とをそれぞれ１つずつ設けた場合を示して説明する。
【００２０】
図２に示すように、吸光光度計４１は、測定対象の試料と試薬との混合液（反応液）を収容する反応容器２に多波長光を照射する多波長光源（透過光検出用光源）４４（例えば、ハロゲン光源）と、反応容器２及び収容物である混合液（反応液）を透過する透過光を検出する透過光検出器４５とを備えている。反応ディスク１の搬送経路に沿って周方向に駆動される反応容器２が多波長光源４４と透過光検出器４５の間の透過光検出位置を通るときに、透過光量が検出される。透過光検出器４５で検出された透過光量（検出結果）は、Ａ／Ｄ変換器１６によりディジタル変換され、インタフェース１９を介してコンピュータ（制御装置）１８に送られる。
【００２１】
図３に示すように、散乱光度計４０は、測定対象の試料と試薬との混合液（反応液）を収容する反応容器２に単波長光を照射する単波長光源（散乱光検出用光源）１４（例えば、ＬＥＤ光源：Light Emitting Diode 光源）と、単波長光源１４の照射により反応容器２及び収容物である混合液（反応液）から生じる散乱光を検出する散乱光検出器１５とを備えている。散乱光検出器１５は、単波長光源１４から照射された単波長光の光軸上（角度０度）に配置された検出器１５ａの他、光軸を中心とする円周上に光軸に対して角度θ１に配置された検出器１５ｂ、及び角度θ２に配置された検出器１５ｃを含む複数の検出器により構成されている。反応ディスク１の搬送経路に沿って周方向に駆動される反応容器２が単波長光源１４と散乱光検出器１５の間の散乱光検出位置を通るときに、散乱光量が検出される。散乱光検出器４５で検出された散乱光量（検出結果）は、Ａ／Ｄ変換器１６によりディジタル変換され、インタフェース１９を介してコンピュータ（制御装置）１８に送られる。
【００２２】
測定の終了した混合液（反応液）が収容された反応容器２は洗浄位置で洗浄機構１７により洗浄処理される。
【００２３】
また、自動分析装置には、入力装置としてのキーボード２４、表示装置としてのＣＲＴディスプレイ２５、印刷出力装置としてのプリンタ２２、ＦＤなどの外部出力メディアに記録する記録媒体ドライブ２３、記憶装置（記憶部）としてのメモリ１１がインタフェース１９を介してコンピュータ（制御装置）１８を含む各機能部と接続されている。メモリ１１は、ハードディスクなどの記憶装置であり、分析結果のほか、オペレータ毎に設定されたパスワードや、画面の表示レベル、分析パラメータ、分析依頼項目内容、キャリブレーション結果などの情報が記憶されている。
【００２４】
図４は、反応ディスク１に配置した反応容器２の搬送経路における各構成の配置を概略的に示す図である。
【００２５】
図４に示すように、本実施の形態における搬送経路上には、試料分注位置７ａ、第１試薬分注位置１２ａ、第２試薬分注位置１２ｂ、散乱光検出位置４０ａ、透過光検出位置４１ａ、及び、洗浄位置１７ａが反時計回りにその順番で配置されており、それぞれの位置において、搬送経路上を搬送される反応容器２に対して作業が行われる。
【００２６】
ここで、本実施の形態の測定対象試料に対する測定原理について説明する。
【００２７】
（１）測定方法
（１−１）吸光光度計４１を用いた測定
測定対象の試料と試薬の混合液（反応液）に多波長光源（透過光検出用光源）４４から照射した光の透過光量を透過光検出器４５により測定し、吸光度の測定値に基づいて試料の検査を行う。
【００２８】
多波長光源（透過光検出用光源）４４からの光（紫外線領域から近赤外線までの領域の波長の光）を試料と試薬の混合液（反応液）に照射し、反応液からの透過光を分光し、単一又は複数の波長について吸光度を算出する。そして、ランベールト・ベーア（Lambert-Beer）の法則に従い、反応液の吸光度と濃度の関係から対象成分量を定量する。一例としては、試料への試薬投入からの約１０分間、一定の時間間隔で吸光度の経時変化を測定する。
【００２９】
水溶液中の色素では、散乱はほとんど発生せず、光の吸収がほぼすべてである。つまり、吸光度のみが大きくなるということである。色素は波長で吸収特性が異なるため、吸光度は波長により異なる。生化学においては、酵素、蛋白質、無機物、脂質など複数の項目について測定を行う。
【００３０】
（１−２）散乱光度計４０を用いた測定
測定対象の試料と試薬の混合液（反応液）に単波長光源（散乱光検出用光源）１４から照射した光の反応液中の物質による散乱光を検出する。散乱光度計４０では、反応液が水等のように抗原体反応物のような凝集物を含まない場合は散乱光がほとんど生じず、抗原抗体反応物の増加に伴って散乱光が増加する。そして、一般的に粒子による光の散乱として知られるレイリー（Rayleigh）散乱の定義に概ね従うと考え、反応液による散乱光量と濃度の関係から対象性分量を定量する。
【００３１】
試料中の微量蛋白成分を測定する場合、抗原である蛋白に反応する抗体を試薬として反応させ、濃度を定量する。抗体単独では感度が不足するため、抗体にラテックス粒子を結合させて感度を上げるラテックス免疫比濁法を使用する。粒子は、どの波長に対しても吸収・散乱特性が類似しているという特徴を有している。ラテックスの粒子径が大きいほうが感度は良が、粒子径が大きい場合ほど静置したときに溶液中での沈殿が生じやすくなり、安定な測定が行いにくい。このような抗原抗体反応結合物は、必ずしも吸光光度法で十分な感度を持たないので、散乱光度計４０を用いて測定する。つまり、ラテックス粒子等を用いる測定では、透過光を利用する吸光光度計４１を用いた測定方法よりも、散乱光度計４０を用いて散乱光を測定する方が感度が良い。
【００３２】
（２）反応原理
各検査項目に対応して試料に添加する試薬の反応原理には、主に、酵素反応を用いた測定原理のものと、抗原抗体反応を用いた測定原理のものの２種類が挙げられる。
【００３３】
（２−１）酵素反応を利用した測定
酵素反応を利用した測定の試料と試薬の混合液（反応液）における反応には、基質と酵素との呈色反応と、抗原と抗体との凝集反応との２種類が用いられることが多い。呈色反応は生化学分析であり、検査項目としてＬＤＨ（乳酸脱水素酵素）、ＡＬＰ（アルカリホスファターゼ）、ＡＳＴ（アスパラギン酸オキソグルタル酸アミノトンラフェナーゼ）になどに対応するものがある。また、凝集反応免疫分析であり、検査項目としてＣＲＰ（Ｃ反応性蛋白）、ＩｇＧ（免疫グロブリン）、ＲＦ（リウマトイド因子）などに対応するものがある。
【００３４】
（２−２）抗原抗体反応を利用した測定
主に、抗原抗体反応を利用した測定が用いられる免疫分析で測定される対象物質は血中濃度が低いことが多いために高感度であることが要求される。例えば、ラテックス粒子の表面に抗体を感作（結合）させた試薬を用い、試料中に含まれる検出対象成分を認識し凝集させる際に、反応液に多波長光源（透過光検出用光源）４４からの光を投光し、ラテックス凝集塊に散乱されずに透過した光量（透過光量）を測定することで吸光度を測定し、試料中に含まれる検出対象成分量を定量するラテックス免疫凝集法での高感度化を図る。抗原抗体結合反応は、抗原と試薬との反応が比較的ゆっくりと進行する。反応時間が数分のオーダーであるため、数秒間隔で計測することにより反応過程をモニタリングすることができる。
【００３５】
（３）前述した吸光光度計４１および散乱光度計４０について、測定感度は散乱光度計４０を用いた測定が優れている傾向にある。また、再現性は同等、直線性は吸光光度計４１を用いた測定が優れている傾向にある。核光度計４０，４１における干渉物質は物質により異なっており、散乱光度計４０の方がＲＦ因子の粒子物質の影響を受けやすいという特長がある。一方で、吸光光度計４１の方は、ビリルビン、ヘモグロビンなど試料中に溶けている物質による影響を受けにくいという特長がある。つまり、散乱光度計４０は、特定の波長の光を照射して反応液中の粒子散乱を見ているために感度は良いが、試料中の粒子の影響は受けやすいということである。また、吸光光度計４１は、ハロゲンランプ等の光（短波長から長波長までの光）を照射しているため、反応液からの透過光を分光し、ビリルビン、ヘモグロビンなどの影響を受けない波長を選定することができ、アプリケーションの適用範囲が広い。
【００３６】
図５は、反応容器に収容した試料と試薬の混合液（反応液）における透過光量、吸光度、及び、散乱光量の時間変化の一例を概略的に示すものであり、横軸に時間、縦軸に検出量をそれぞれ示している。
【００３７】
図５においては、第１の試薬（Ｒ１）の添加直後には大きな変化は見られず、反応を促進するための第２の試薬（Ｒ２）の添加直後から各検出値が変化していることがわかる。このように、透過光は反応が進行するのに伴って小さくなる傾向にあり、また、吸光度は反応の進行に伴って大きくなる傾向にある。
【００３８】
免疫反応も、広い意味の化学反応である。化学反応は、試料と試薬を混合したときに瞬間的に反応するものばかりでなく、数分間、数十分の時間が必要なものもある。抗体抗原反応では、数分間必要なものが多い。特に反応の最初の数分間では、反応は急激に進み、その後、緩やかになるものが多い。また、抗原抗体反応では、ラテックス抗体を第２試薬（Ｒ２）で使用する。抗原抗体反応を吸光光度計４１と散乱光度計４０で同一サイクル内に測定する最も重要な範囲は、第２試薬（Ｒ２）の添加後である。
【００３９】
試料中に含まれる共存物質の影響は、最初の数分間の抗原抗体反応に影響する。吸光光度計４１、散乱光度計４０などの測定原理が異なる光学系では、わずかの時間差でも測定結果に対する影響は異なる。吸光光度計４１は、透過光を計測し、散乱光度計４０は散乱した光を測定するという、原理の異なるものである。吸光光度計４１は、ハロゲンランプ等の多波長抗原４４で短波長から長波長まで広い範囲の波長の光を一度に反応容器に照射し、透過光を分光して各波長の光量を検出する。また、散乱光度計４０では、反応容器に単波長光を照射し、反応液により散乱した光量を検出する。このような、免疫反応の特徴を捉える複数の光学系を使用し、その測定結果を総合的に評価しようとする場合、それら光学系は反応液に対する測定を時差なく行うことが望ましい。実際には、同時の測定が困難であるため、複数の光度計（本実施の形態では、散乱光度計４０及び吸光光度計４１）を互いに干渉しない程度に離れた位置に設置したうえで、かつ、それらによる測定時刻の差（測定時差）を最小限（例えば、１秒以内）に抑制する必要がある。
【００４０】
吸光光度計４１と散乱光度計４０の測定時差を抑制する（例えば、数秒以内に収める）方法の１つとして、反応ディスク１が回転している１サイクル内に吸光光度計４１による測定と散乱光度計４０による測定の両方を実施することがある。ここで、サイクルとは、反応容器２が搬送経路上においてある停止位置から移動開始し、次の停止位置に到達する（停止する）までの動作のことである。本実施の形態では、複数の光度計４０,４１の配置位置、反応容器２に対する試料および試薬の分注位置、反応ディスクの回転制御について説明する。
【００４１】
次に、本実施の形態における動作、すなわち、コンピュータ（制御装置）１８による制御を説明する。
【００４２】
自動分析装置によって分析可能な項目に関する分析パラメータは、予め情報入力装置であるキーボード２４を介して入力されておリ、メモリ１１に記憶されている。オペレータは、後述する操作機能画面を用いて各試料に依頼されている検査項目を選択する。
【００４３】
この際に、患者ＩＤなどの情報もキーボード２４から入力される。各サンプルに対して指示された検査項目を分析するために、試料分注機構７は、分析パラメータにしたがって、試料容器６から反応容器２へ所定量の試料を分注する。
【００４４】
サンプルを受け入れた反応容器は、反応ディスク１の回転によって移送され、試薬受け入れ位置に停止する。試薬分注機構１２Ａ,１２Ｂは、該当する検査項目の分析パラメータにしたがって、反応容器２に所定量の試薬液を分注する。試料と試薬の分注順序は、この例とは逆に、試料より試薬が先であってもよい。
【００４５】
その後、撹拌機構１３Ａ,１３Ｂにより、サンプルと試薬との撹拌が行われ、混合される。この反応容器２が、測光位置を横切る時、散乱光度計４０より反応液の散乱光が測光される。測光された散乱光は、Ａ／Ｄ変換器１６により光量に比例した数値に変換され、インタフェース１９を経由して、コンピュータ１８に取り込まれる。この変換された数値を用い、検査項目毎に指定された分析法により予め測定しておいた検量線に基づき、濃度データに変換される。各検査項目の分析結果としての成分濃度データは、プリンタ２２やＣＲＴ２５の画面に出力される。
【００４６】
以上の測定動作が実行される前に、操作者は、分析測定に必要な種々のパラメータの設定や試料の登録を、操作画面を介して行う。また、操作者は、測定後の分析結果をＣＲＴ２５上の操作画面により確認する。
【００４７】
ここで、反応ディスク１における搬送経路上での吸光光度計４１と散乱光度計４０の配置位置、及び、反応ディスク１の回転制御について説明する。
【００４８】
吸光光度計４１と散乱光度計４０による測定時差を抑制するためには、反応ディスク１が回転している１サイクル内に、両方の計測を行うことが必要である。すなわち、複数の光度計（吸光光度計４１,散乱光度計４０）における測定時差を最小にするためには、１サイクル中に複数の光度計の測定位置を反応容器が通過するように制御する必要がある。
【００４９】
反応ディスク１は、分析終了後、反応容器を洗浄して繰り返し使用する仕様であり、洗浄後に再度、試料分注位置に戻ってくる。反応容器２が最初の位置（試料分注位置）から移動開始し、同位置に戻ってくるのに要する時間（以降、時間Ｔ１とする）は、反応時間ＴＲ＋反応容器洗浄時間＋試料・試薬分注時間で決まる。また、１サイクル当たりに要する時間をＴ０、反応ディスク１にセットされた反応容器の数をＮ、１サイクル当たり移動する反応容器の数をＭとした場合、同一サイクルで複数の光度計（吸光光度計４１,散乱光度計４０）による測定が可能となる条件は次のようになる。
【００５０】
（４）Ｎ≦Ｍの場合：無条件で測定条件を満足する。
【００５１】
試薬分注機構１２Ａ，１２Ｎ、試料分注機構７は、反応ディスク１の制御に合わせるため、装置レイアウトに制限が生じる。
【００５２】
図６及び図７は、Ｎ≦Ｍの場合における反応ディスクの動作を示す図であり、図６は測定対象の反応容器が試料分注位置７ａにある場合を、図７は１サイクル後の場合をそれぞれ示している。
【００５３】
コンピュータ（制御装置）１８における反動ディスク１の制御では、反応ディスク１を1サイクル当たり、１回転と１反応容器以上（すなわち、３６０度以上）回転させる。図６及び図７の例では、１サイクルで１回転プラス１反応容器分だけ回転した場合を示している。つまり、本例では、１サイクルごとに１反応容器ずつ反応容器２の位置が図６及び図７における反時計回り（以降、順方向と称する）に進んでいくことになる。この間、反応容器２は、反応ディスク１の搬送経路上にある、複数の光度計（吸光光度計４１,散乱光度計４０）を通過する。１サイクル中に同じ反応容器２内の反応液を複数の光度計（吸光光度計４１,散乱光度計４０）で測定した結果が得られる。
【００５４】
図８はＣＲＰを吸光光度計と散乱光度計で測定した結果であり、図９はコンピュータ（制御装置）による時間補正処理後の測定結果を示す図である。なお、図９においては、説明の簡単のため図８における測定結果の一部のみの補正結果を代表して示す。
【００５５】
コンピュータ（制御装置）１８における測定データの時間補正処理は、測定結果に対応してメモリ１１に記録された時刻から、散乱光度計４０、吸光光度計４１のいずれかの測定時刻の散乱強度、吸光度の時間補正を可能とする。同じサイクルの中で吸光光度計４１と散乱光度計４０を用いて測定しても、物理的な配置が異なるため、測定時差が生じる。時間補正処理では、この測定時差を測定時刻に基づいて補正する。散乱光度計４０での測定結果を吸光光度計４１の測定結果の測定時刻に基づいて補正する場合、ある１サイクルの吸光光度計４１の測定時刻より早い時刻における散乱光度計４０の測定結果と、遅い時刻における散乱光度計４０の測定結果（すなわち、吸光光度計４１の測定結果に対して時間的に前後２つの散乱光度計４１の測定結果）の２点から、散乱光度計４０の２つの測定結果を時刻差で比例配分して、吸光光度計４１の測定結果の測定時刻相当の散乱光度計４０の測定値を算出する。
【００５６】
測定結果の時間補正処理における計算例を以下に示す。
例えば、吸光度のＸ番目の測定結果をＡｂｓＸ、その測定時刻をｔＸ、測定結果ＡｂｓＸの時間軸上での前後の散乱光量をＩＸとＩＹする。その測定時刻をｔｉＹとｙｉＸとすると、ＡｂｓＸの測定時刻に相当する散乱光強度は、以下の式で求められる。
ＩＸ’＝（ＩＸ＋ＩＹ）＊（ｔＸ−ｔｉＹ）／（ｔｉＸ−ｔｉＹ）
上記式に従って、すべての測定点のデータを、ある光学システムの測定時刻に合わせて変換する。これにより、複数の光学システムの測定データが同じ、時間で時系列的に並ぶ。測定データの時間差がなくなる（図９参照）。
【００５７】
測定結果の時間補正処理の計算には、以下２種類の方法の何れかを用いる。
【００５８】
１つは、各光学システムの実際の測定時刻を記録して、各測定システムの測定時刻の時間差で補正する方法であり、もう１つは各測定システムで反応ディスク制御であらかじめ決められた予定時間で補正する方法である。
【００５９】
実際の測定時刻を用いた補正方法は、補正値が正確になる。あらかじめ決められた時間差で補正する方法では、各測定点の時刻を記憶する必要がなく、時間差もあらかじめ決められたテーブルを使用する。この方法では、記憶領域が少なくて済むことや、時刻差の計算時間が不要であり、計算処理が簡単などのメリットがある。
【００６０】
なお、この２種類の時間補正方法は、測定対象の反応が早い場合は、実際の時刻を使用するほうが良い。また、反応時間が長い場合は、事前に決められた補正時間で計算しても影響が小さいと考えられる。
【００６１】
(５)Ｎ≧Ｍの場合：測定条件には下記の制約がある。
【００６２】
反応ディスクの２回転の制御と、複数の光学系（吸光光度計４１,散乱光度計４０）、及び試料分注位置、試薬分注位置の配置関係を限定する必要がある。
【００６３】
（５−１）１サイクル当たりの反応ディスク２の移動回転角度が、１８０度〜３６０度の間である場合
第２試薬の分注（Ｒ２）から反応終了までの時間は、反応時間の約半分である。１８０度以上の回転であれば、第２試薬分注から、反応終了までの測定サイクルは十分にカバーできる。その間、対象の反応容器２が停止しないように制御する。すなわち、第２試薬の添加後、１サイクルの途中で、ある光度計は通過し、他の光度計は通過しないというような条件選択を避ける。
【００６４】
複数の光学系の配置は１サイクル当たり回転角度以下(３６０度＊Ｍ／Ｎ)に配置する。すなわち、反応ディスクの回転周回線場で、所定の角度以内に配置する。１サイクルの動作が１回転(３６０度)より１反応容器分だけ、少なく回転した場合、反応容器の停止位置は、最初のサンプリング位置から、１反応容器ずつ回転方向に対して手前に移動していく。１サイクル中に複数の光度計を、同一の反応容器２が横切ることが可能である。
【００６５】
（５−２）１サイクル当たりの反応ディスク２の移動回転角度が、１８０度以下である場合
図１０〜図１２は、移動回転角度が１８０度以下の場合における反応ディスクの動作を示す図であり、図１０は測定対象の反応容器が試料分注位置にある場合を、図１１は測定対象の反応容器が１サイクル後に第１試薬分注位置にある場合を、図１２は測定対象の反応容器が第２試薬分注位置を経由して攪拌位置にある場合をそれぞれ示している。
【００６６】
第２試薬の分注（Ｒ２）から反応終了までの時間は、反応時間の約半分であるため、１８０度以下の回転では、第２試薬分注から反応終了までの測定サイクルに複数の光度計（吸光光度計４１，散乱光度計４０）を通過測定するように制御することができない。抗原抗体反応では、第２試薬添加後の数サイクルの計測が、試薬感度を確保するために重要である。第２試薬添加後に当該反応容器２が停止しないように制御する。
【００６７】
複数の光学系（吸光光度計４１、散乱光度計４０）の配置角度θは１サイクル当たり回転角度以下(３６０度＊Ｍ／Ｎ)に配置する。すなわち、反応ディスク１の搬送経路上に、反応ディスク２を中心として１サイクルの回転角度以内に配置する。第２試薬添加後の最初の測定サイクルは、確実に複数の光学系（吸光光度計４１，散乱光度計４０）が測定できるようにする。反応容器２は、反応ディスク１の回転方向（順方向）に対して、複数の光度計（吸光光度計４１，散乱光度計４０）の手前に停止している。反応ディスク１の回転開始後の最初の測定サイクルでは、両方の光度計（吸光光度計４１，散乱光度計４０）で計測できるように配置する。
【００６８】
（５−３）１サイクル当たりの反応ディスク２の移動回転角度が、９０度以下である場合
１サイクルの移動角度が９０度以下等の少ない、かつ、反応時間がサンプリングしてから１０分、第２試薬添加後５分の場合、同じサイクルの中で複数の光度計が横切る反応時間は、Ｒ２添加後、２〜３分程度となり全反応時間をカバーすることはできない。１サイクルあたりの反応容器移動角度は１８０度程度とすることが望ましく、この場合は、約５分間の反応時間をカバーすることができる。
【００６９】
（５−４）Ｎ≧Ｍの場合の条件で制御した測定結果の一例。
【００７０】
反応容器の数（Ｎ）は１６０個、1サイクル当たりの反応容器移動数（Ｍ）は１５０個である。第２試薬は第１試薬添加の５分後に添加している。第２試薬添加の後に散乱光度計４０と吸光光度計４１により同一サイクル内で測定する。図１３は測定試薬ＲＦおよび腫瘍マーカＡＦの散乱光度計４０における散乱光強度であり、図１４は吸光光度計における直線性の測定結果である。なお、図１３においては、散乱光度計４０における検出器の光軸からの角度を２０度とした場合と、３０度とした場合について示している。
【００７１】
（６）濃度換算について
本実施の形態の自動分析装置においては、測定開始前に最初に、複数の光学系（散乱光度計４０，吸光光度計４１）で標準液を用いた検量線の算出を含む校正（キャリブレーション）を実施する。検量線は、標準液の測定結果に対して時間補正処理を実施し、その測定結果に基づいて作成する。その後の一般検体（測定対象試料）の測定においても、時間補正処理を施した測定結果と検量線とに基づいて測定結果とする。複数の光学系（散乱光度計４０，吸光光度計４１）では、個別にキャリブレーションを実施するため、キャリブレーションから、患者検体の濃度換算も終了すれば、その光度系としては処理が終了し、測定結果のずれ等も発生しない。しかしながら、複数の光度系（散乱光度計４０，吸光光度計４１）でそれらの測定結果を比較する場合、散乱光度計４０による測定結果と、吸光光度計４１による測定結果とでは、測定時刻が異なる場合には測定結果にずれが生じ、単純に比較することができない。化学反応を扱う場合には測定時差の影響が大きくなるということである。図１５は、インスリンの測定結果である。図８に示したＣＲＰの時間経過に伴う反応は、項目によっても異なっている。散乱光度計４０と吸光光度計４１等の原理の異なる光学系で同一の反応を計測する場合は、時間補正処理が重要であることがわかる。
【００７２】
以上のように構成した本実施の形態における効果を説明する。
【００７３】
従来技術における分析装置においては、測定対象試料における吸光度の測定、或いは、散乱光の測定を行うことにより、試料（血液や尿などの生体サンプル）の定性・定量分析を行っていた。吸光度の測定では、短波長から長波長までの光を照射して透過光を分光するため、ビリルビン、ヘモグロビンなどの影響を受けない波長を選定することができるなどアプリケーションの適用範囲が広いという特長がある。また、散乱光の測定では、特定の波長の光を照射して反応溶液中の粒子散乱を見ているため感度が良いという特長があるが、試料中の粒子の影響を受けやすいという点を考慮する必要がある。したがって、散乱光の測定と吸光度の測定の両方を同じ測定対象試料に対して実施することにより、測定精度の向上を図ることも考えられる。しかしながら、散乱光や吸光度の測定では、所定の試薬の添加から時間の経過に伴って状態の変化する測定対象試料を測定対象としているため、散乱光および吸光度の測定時差の測定結果への影響が懸念される。
【００７４】
これに対して本実施の形態においては、反応ディスクの回転によって周方向に搬送される反応容器の搬送経路上に試料分注機構、試薬分注機構、攪拌機構、散乱光度計及び吸光光度計を配置し、反応容器を散乱光検出位置及び透過光検出位置の両方について同一の移動工程中に通過させることにより散乱光度および吸光度の測定を行うように構成したので、散乱光および吸光度の測定の測定時差の測定結果への影響を抑制することができ、測定精度を向上することができる。
【符号の説明】
【００７５】
１  反応ディスク
２  反応容器
３  反応槽
４  反応槽水循環装置
５  サンプルディスク
７  試料分注機構
９Ａ,９Ｂ  試薬保冷庫
１０Ａ,１０Ｂ  試薬ボトル
１１  メモリ
１２Ａ，１２Ｂ  試薬分注機構
１３Ａ  第１試薬ディスク
１３Ｂ  第２試薬ディスク
１４  単波長光源（散乱光検出用光源）
１５  散乱光検出器
１６  Ａ／Ｄ変換器
１７  洗浄機構
１８  コンピュータ（制御部）
１９  インタフェース
２０  サンプル分注制御部
２１  試薬分注制御部
２２  プリンタ
２３  記録媒体ドライブ
２４  キーボード
２５  ＣＲＴディスプレイ
３３Ａ,３３Ｂ  攪拌機構
３４Ａ，３４Ｂ  読取装置
４０  散乱光度計
４１  吸光光度計
４４  多波長光源（透過光検出用光源）
４５  透過光検出器
【図１】
2014020999.tif 000003
【図２】
2014020999.tif 000004
【図３】
2014020999.tif 000005
【図４】
2014020999.tif 000006
【図５】
2014020999.tif 000007
【図６】
2014020999.tif 000008
【図７】
2014020999.tif 000009
【図８】
2014020999.tif 000010
【図９】
2014020999.tif 000011
【図１０】
2014020999.tif 000012
【図１１】
2014020999.tif 000013
【図１２】
2014020999.tif 000014
【図１３】
2014020999.tif 000015
【図１４】
2014020999.tif 000016
【図１５】
2014020999.tif 000017